(57)【要約】【課題】夜間発光の注意効果を具え、更に装飾効果も高めるカードアのサイドプロテクションモールの提供。【解決手段】カードアのサイドプロテクションモールは、主に一体成型のサイドプロテクションモールとし、その上表面には長辺方向に沿って長溝槽を設置し、且つその長溝槽内に細長形状の発光体を設置する。上述の構造を使用する時、一般自動車のドア外側面に設置し、衝撃防止もしくは/及び装飾として使用する。また、このサイドプロテクションモールは細長形状の発光体を具え、電源に接続すると、発光して注意を促し、装飾効果を高める。【選択図】図１
0003130297.tif 000002
【実用新案登録請求の範囲】
【請求項１】
一体成型のカードアのサイドプロテクションモールにおいて、
サイドプロテクションモールの上表面には、長辺方向に沿って長溝槽が設置され、且つその長溝槽内に細長形状発光体を設置することを特徴とするカードアのサイドプロテクションモール。
【請求項２】
請求項１記載のカードアのサイドプロテクションモールにおいて、前記細長形状発光体は、電界効果の発光技術によって製造されたポリエステル薄膜のＬＥＤライトとすることを特徴とするカードアのサイドプロテクションモール。
【請求項３】
請求項１記載のカードアのサイドプロテクションモールにおいて、前記細長形状発光体は、ライトガイド上の一端もしくは両端にＬＥＤライトを設置して構成することを特徴とするカードアのサイドプロテクションモール。
【請求項４】
請求項１記載のカードアのサイドプロテクションモールにおいて、前記細長形状発光体は、細長形状回路板上に数個のＬＥＤライトを設置して構成することを特徴とするカードアのサイドプロテクションモール。
【請求項５】
請求項１記載のカードアのサイドプロテクションモールにおいて、前記細長形状発光体は、細長形状軟性回路板に数個の発光チップを設置して構成することを特徴とするカードアのサイドプロテクションモール。
【考案の詳細な説明】
【技術分野】
【０００１】
本考案は、カードアのサイドプロテクションモールに関するもので、ゴムもしくはプラスチック材で一体成型し、一般自動車のドア外側側面のサイドプロテクションモールに設置し、このサイドプロテクションモールの上表面には、その長辺方向に沿って一筋の発光体が設置され、夜間に発光して注意効果、及び装飾効果を具えるものである。
【背景技術】
【０００２】
今日、一般の自動車（自家用小型車）は普通に交通手段として使用される他に、生活を楽しむ道具として、または自己表現の手段として用いられるようになっている。そのため、自分の所有する車に、多くのデザインや改造を加え、自己表現している。更に自己表現と同時に自動車の安全効果を具えた発光部品の装飾品や部品を設置し、美観及び安全効果を得ている。
【０００３】
今日の市場において、カードアのサイドプロテクションモールについては、衝撃防止だけに重点が置かれ、ゴムもしくはプラスチックで一体成型されているが、装飾機能については不足しており、また夜間の発光装飾機能及び夜間の安全性は具えていない点である。
【考案の開示】
【考案が解決しようとする課題】
【０００４】
本考案は、カードアのサイドプロテクションモールを提供し、そのカードアのサイドプロテクションモールの上表面の長辺方向に沿って、一筋の発光体を設置し、夜間発光の注意効果や、装飾効果の向上を主な目的とする。
【０００５】
上述の目的のため、本考案のカードアのサイドプロテクションモールは、一体成型のサイドプロテクションモールとし、その特徴は、上表面の長辺方向に沿って長溝槽を設置し、且つその長溝槽内に細長形状の発光体を設置する。
【０００６】
上述の構造を使用する時、それを一般の自動車のドア外側面の適する位置に衝撃防止もしくは/及び装飾として使用する。またこのサイドプロテクションモールは細長形状の発光体を具えているため、その細長形状の発光体に電源を設置すると、持続式もしくは点滅式の、単色もしくは彩色の光線を発し、夜間発光の注意効果を具え、更にその発光の色が車に美観を添え、装飾効果も具える。
【課題を解決するための手段】
【０００７】
請求項１の考案は、一体成型のカードアのサイドプロテクションモールにおいて、
サイドプロテクションモールの上表面には、長辺方向に沿って長溝槽が設置され、且つその長溝槽内に細長形状発光体を設置することを特徴とするカードアのサイドプロテクションモールとしている。
請求項２の考案は、請求項１記載のカードアのサイドプロテクションモールにおいて、前記細長形状発光体は、電界効果の発光技術によって製造されたポリエステル薄膜のＬＥＤライトとすることを特徴とするカードアのサイドプロテクションモールとしている。
請求項３の考案は、請求項１記載のカードアのサイドプロテクションモールにおいて、前記細長形状発光体は、ライトガイド上の一端もしくは両端にＬＥＤライトを設置して構成することを特徴とするカードアのサイドプロテクションモールとしている。
請求項４の考案は、請求項１記載のカードアのサイドプロテクションモールにおいて、前記細長形状発光体は、細長形状回路板上に数個のＬＥＤライトを設置して構成することを特徴とするカードアのサイドプロテクションモールとしている。
請求項５の考案は、請求項１記載のカードアのサイドプロテクションモールにおいて、前記細長形状発光体は、細長形状軟性回路板に数個の発光チップを設置して構成することを特徴とするカードアのサイドプロテクションモールとしている。
【考案の効果】
【０００８】
本考案のカードアのサイドプロテクションモールは、夜間発光の注意効果を具え、更に装飾効果も高めるという利点がある。
【考案を実施するための最良の形態】
【０００９】
図１および図２に示すとおり、本考案のカードアのサイドプロテクションモールは、主に一体成型のサイドプロテクションモール１０とする。このサイドプロテクションモール１０の上表面には長辺方向に沿って長溝槽１１を設置し、且つその長溝槽１１内に細長形状発光体２０を設置する。
【００１０】
上述の構造のように、その細長形状発光体２０は電界効果の発光技術で作られたポリエステル薄膜のＬＥＤライトとし、これはルミネックスライトとも言われ(図１参照)、実施時には透光ゴム条３０底面に貼り付けるか、もしくは上述の長溝槽１１内の表面に塗る。または少なくともひとつのライトガイド条２１の一端に(もしくは両端に)、ＬＥＤライト２２を設置する(図３参照)。もしくは細長形状回路板２３上に数個のＬＥＤライトを設置して構成する(図４参照)。もしくは細長形状軟性回路板２５条に数個の発光チップ２６を設置して構成する(図５参照)。この他、上述の各種細長形状発光体を実施する時（例として図１及び図２）、細長形状発光体２０の上方に透光ゴム条３０、もしくは透光保護膜を更に設置し、本考案の実用性を高める。
【００１１】
上述構造を使用する時（図６参照）、細長形状発光体２０を具えたサイドプロテクションモール１０を一般自動車のドア外側面の腰部分もしくは/及び底縁の適する位置に設置し、衝撃防止もしくは/及び装飾として使用する。またこのサイドプロテクションモール１０は細長形状発光体２０を具えているため、細長形状発光体上に電源を接続すると、持続式もしくは点滅式で、単色もしくは色彩変化の光線を発し、夜間発光の注意効果を具え、更にその発光の色によって自動車に美観を添えて装飾効果を高める。
【図面の簡単な説明】
【００１２】
【図１】本考案の立体分解実施例図である。
【図２】図１の組立断面図である。
【図３】本考案の別種細長形状発光体の実施例図である。
【図４】本考案の別種細長形状発光体の実施例図である。
【図５】本考案の別種細長形状発光体の実施例図である。
【図６】本考案の使用状態表示図である。
【符号の説明】
【００１３】
１０  サイドプロテクションモール
１１  長溝槽
２０  細長形状発光体
２１  ライトガイド条
２２  ＬＥＤライト
２３  細長形状回路板
２４  ＬＥＤライト
２５  細長形状軟性回路板
２６  発光チップ
３０  透光ゴム条
【図１】
0003130297.tif 000003
【図２】
0003130297.tif 000004
【図３】
0003130297.tif 000005
【図４】
0003130297.tif 000006
【図５】
0003130297.tif 000007
【図６】
0003130297.tif 000008